(57)【特許請求の範囲】
【請求項１】
たばこ製品の包装容器（１）であって、
たばこ製品のグループと、
開口した上側端（６）および前記開口した上側端（６）をそれぞれ開いたり閉じたりしながら開位置と閉位置との間で、外側容器（２）に対して回転するヒンジ（８）に沿って前記外側容器（２）にヒンジ連結されているカップ形状の蓋（７）を有するカップ形状の外側容器（２）と、
前記外側容器（２）の内側に収容され、前記たばこ製品のグループを取り囲み、覆い蓋（５）により閉じられているたばこ製品の引抜き開口（４）を有する内側包装容器（３）と、
少なくともＵ字に折られ、前記外側容器（２）の内側に配置され、および前記蓋（７）が前記閉位置の時に、前記蓋（７）の対応する内側表面に係合するように、前記開口した上側端（６）の外側に向かって部分的に突出する硬質のカラー（１６）とを備える包装容器において、
前記カラー（１６）は、少なくとも前記引抜き開口（４）の周りにおいて、前記内側包装容器（３）に固定され、
前記カラー（１６）は、前記内側包装容器（３）に固定される頂壁（２８）であって、前記外側容器（２）の頂壁（９）に接触して配置されると共に、前記外側容器（２）の前記頂壁（９）に固定されない頂壁（２８）と、前記外側容器（２）の前壁（１１）に接触して配置される前壁（１７）と、前壁（１７）の対向する２つの側部に配置されると共に、前記外側容器の側壁（１３）に接触する２つの側壁（１８）と、を備え、
前記カラー（１６）は、前記内側包装容器（３）の前記引抜き開口（４）に重ね合せられ、前記カラー（１６）の前記前壁（１７）および前記頂壁（２８）を通して形成されている引抜き開口を備えることを特徴とする、包装容器（１）。
【請求項２】
前記カラー（１６）は、少なくとも前記外側容器（２）の前記開口した上側端（６）に近接した部分において、前記外側容器（２）に接着剤で付けられていることを特徴とする、請求項１に記載の包装容器（１）。
【請求項３】
前記カラー（１６）は、前記内側包装容器（３）に熱融着されていることを特徴とする、請求項１または２に記載の包装容器（１）。
【請求項４】
前記カラー（１６）は、前記内側包装容器（３）に接着剤で付けられていることを特徴とする、請求項１または２に記載の包装容器（１）。
【請求項５】
前記カラー（１６）は、前記内側包装容器（３）に重ね合せられる前記カラー（１６）全体の領域で前記内側包装容器（３）に固定されていることを特徴とする、請求項１から４のいずれか１項に記載の包装容器（１）。
【請求項６】
前記カラー（１６）は、前記外側容器（２）の前壁（１１）に接触して配置されている前壁（１７）と、前記前壁（１７）の両側に配置され、前記外側容器（２）の２つの小さな側壁（１３）に接触して配置されている２つの側壁（１８）とを備えることを特徴とする、請求項１から５のいずれか１項に記載の包装容器（１）。
【請求項７】
前記カラー（１６）は、前記外側容器（２）の後壁（１２）に接触して配置されている後壁（３１）を備えることを特徴とする、請求項６に記載の包装容器（１）。
【請求項８】
前記カラー（１６）が、移動可能な部分（２９）を具備し、該移動可能な部分（２９）が、前記カラー（１６）の前記引抜き開口に配置され、前記覆い蓋（５）に固定され、且つ、前記覆い蓋（５）と共に移動可能である、請求項１〜７のいずれか１項に記載の包装容器（１）。
【請求項９】
前記カラー（１６）の前記移動可能な部分（２９）は、切取り線（３０）により前記カラー（１６）の残りの部分から離されていることを特徴とする、請求項８に記載の包装容器（１）。
【請求項１０】
前記カラー（１６）は、初めは前記外側容器（２）から独立しており、そして、前記外側容器（２）に接着剤で付けられることを特徴とする、請求項１から９のいずれか１項に記載の包装容器（１）。
【請求項１１】
前記カラー（１６）は、前記外側容器（２）に含まれていることを特徴とする、請求項１から９のいずれか１項に記載の包装容器（１）。
【請求項１２】
前記カラー（１６）は、前記閉位置に前記蓋（７）を保持する固定部材を有することを特徴とする、請求項１から１１のいずれか１項に記載の包装容器（１）。
【請求項１３】
前記カラー（１６）の前記固定部材は、前記蓋（７）の前記側壁に干渉しながら係合する側方に突出する２つの突起（１９）により形成されてことを特徴とする、請求項１２に記載の包装容器（１）。
【請求項１４】
前記カラー（１６）は、前記カラー（１６）の前壁（１７）に形成され、クーポンの底部分を含むためのポケットを備えることを特徴とする、請求項１から１３のいずれか１項に記載の包装容器（１）。
【請求項１５】
前記覆い蓋（５）は、移動部分（３７）と、切取り線により移動部分（３７）から分けられている固定境界（３８）とを有することを特徴とする、請求項１から１４のいずれか１項に記載の包装容器（１）。
【請求項１６】
前記覆い蓋（５）は、前記覆い蓋（５）を開放可能に前記内側包装容器（３）に接続する再利用可能な固定部材を有することを特徴とする、請求項１から１５のいずれか１項に記載の包装容器（１）。
【請求項１７】
前記再利用可能な固定部材は、非乾燥性の再貼り付け可能な接着剤（２０）により形成されていることを特徴とする、請求項１６に記載の包装容器（１）。
【請求項１８】
前記外側容器（２）は、２つの長手方向の折り目（２４）と、前記２つの長手方向の折り目（２４）の間に、前記前壁（１１）の上部を形成する第１のパネル（１１’）、前記頂壁（９）を形成する第２のパネル（９’）、前記後壁（１２）を形成する第３のパネル（１２’）、底壁（１０）を形成する第４のパネル（１０’）、および前記前壁（１１）の底部分を形成する第５のパネル（１１’’）を画定する多数の横方向の折り目（２５）とを有する硬質の素材（２３）を折り曲げることにより形成されていることを特徴とする、請求項１から１７のいずれか１項に記載の包装容器（１）。
【請求項１９】
前記内側包装容器（３）は、前記たばこのグループと、前記内側包装容器（３）の包装材のシート（２２）との間に、前記内側包装容器（３）の内側に配置されている補強材（３２）を備えることを特徴とする、請求項１から１８のいずれか１項に記載の包装容器（１）。
【請求項２０】
前記補強材（３２）は、少なくとも前記引抜き開口（４）の周りにおいて、前記内側包装容器（３）の包装材の前記シート（２２）に固定されていることを特徴とする、請求項１９に記載の包装容器（１）。
【請求項２１】
前記補強材（３２）は、前記内側包装容器（３）の包装材の前記シート（２２）に固定されていることを特徴とする、請求項２０に記載の包装容器（１）。
【請求項２２】
前記補強材（３２）は、前壁（３３）を備えることを特徴とする、請求項１９、２０または２１に記載の包装容器（１）。
【請求項２３】
前記補強材（３２）は、前壁（３３）および底壁（３４）を備えることを特徴とする、請求項１９、２０または２１に記載の包装容器（１）。
【請求項２４】
前記覆い蓋（５）は、掴みタブ（２１）を備えることを特徴とする、請求項１から２３のいずれか１項に記載の包装容器（１）。
【請求項２５】
前記覆い蓋（５）の前記掴みタブ（２１）は、前記カラー（１６）の前壁（１７）の上に配置されていることを特徴とする、請求項２４に記載の包装容器（１）。
【請求項２６】
前記カラー（１６）の前記前壁（１７）は、前記掴みタブ（２１）を容易に掴むために、前記覆い蓋（５）の前記掴みタブ（２１）が前記カラーの前記前壁の上に配置されている部分に貫通孔を有することを特徴とする、請求項２５に記載の包装容器（１）。
【請求項２７】
前記覆い蓋（５）の前記掴みタブ（２１）は、前記覆い蓋（５）の一体的な部分を形成し、前記覆い蓋（５）の底の拡張により形成されていることを特徴とする、請求項２４、２５または２６に記載の包装容器（１）。
【請求項２８】
前記掴みタブ（２１）は、使用者が容易に前記掴みタブ（２１）を掴むために、前記覆い蓋（５）の残りの部分の上に上側に向かって１８０°折り曲げられることを特徴とする、請求項２７に記載の包装容器（１）。
【請求項２９】
前記覆い蓋（５）の前記掴みタブ（２１）は、初めは前記覆い蓋（５）から独立しており、そして、前記覆い蓋（５）に接着剤で付けられることを特徴とする、請求項２４、２５または２６に記載の包装容器（１）。
【請求項３０】
前記掴みタブ（２１）の自由部分（３６）は、前記掴みタブ（２１）の接着部分（３５）の上に１８０°折り曲げられることを特徴とする、請求項２９に記載の包装容器（１）。
【請求項３１】
前記掴みタブ（２１）の前記接着部分（３５）は、初めに前記掴みタブ（２１）の自由部分（３６）の下側に配置され、そして、前記自由部分（３６）は、前記接着部分（３５）の上に下側に向かって１８０°折り曲げられることを特徴とする、請求項３０に記載の包装容器（１）。
【請求項３２】
前記覆い蓋（５）は、移動部分（３７）と、前記内側包装容器（３）の外側表面に永久的に固定され、前記覆い蓋（５）の封を切るときに引き裂かれる切取り線（３９）により前記移動部分（３７）から分けられている固定境界（３８）を備えることを特徴とする、請求項１から３１のいずれか１項に記載の包装容器（１）。
【請求項３３】
前記覆い蓋（５）の前記固定境界（３８）は、前記内側包装容器（３）の包装材のシート（２２）に熱融着されていることを特徴とする、請求項３２に記載の包装容器（１）。
【請求項３４】
前記覆い蓋（５）の前記固定境界（３８）は、前記内側包装容器（３）の包装材のシート（２２）に接着剤で付けられていることを特徴とする、請求項３２に記載の包装容器（１）。
【発明の詳細な説明】
【技術分野】
【０００１】
本発明は、覆い蓋を有する内側包装容器を含むたばこ製品の包装容器に関する。
【０００２】
以下の記述においては、簡略化のために単に非限定的な例示により、ヒンジ連結された硬質のたばこの包装体について述べられる。
【背景技術】
【０００３】
硬質でヒンジ連結された蓋のたばこの包装体は、製造することが容易で、実用的であり、使いやすいことにより、そして、たばこを内側に効果的に保護することにより、現在、最も広く市場で取引されている。
【０００４】
硬質でヒンジ連結された蓋のたばこの包装体は、１枚の箔で覆われたたばこの１つのグループにより画定される内側包装容器と、内側包装容器を収容する硬質の外側包装容器とを備える。外側包装容器は、たばこのグループを収容し、開口する上側端を有するカップ形状の容器と、開および閉位置の間で開口端をそれぞれ開いたり閉じたりしながら容器に対して回転するヒンジに沿って容器にヒンジ連結されたカップ形状の蓋とを備える。Ｕ字に折られたカラーは、通常は容器の内部に取り付けられ、蓋が閉位置になったときに蓋の対応する内側表面に係合するように開口端の外側に向かって部分的に突出している。
【０００５】
たばこは、環境に対して高い感受性を有する。すなわち、大気に接触したときに、有機的特徴は、湿度の変化と同時に（多くの湿分を損失または吸収することによる）、または、たばこに染込まれた（特に、クローブのようなスパイスを取り扱った香りの良いたばこの場合に）揮発性物質の蒸発のために変化する傾向がある。たばこを維持するために、従って、たばこの包装はセロハン（登録商標）で包まれており、すなわち、気密のプラスチック材料の熱融着された上包に包まれている。しかしながら、これは、特に包装体が製造後にある時間消費された場合には、包装体の中にたばこを完全に維持することに必ずしも十分ではない。さらに、包装体の封が切られたときに、上包が取り除かれ、このように、たばこが大気に曝され、そして、包装体の封を切られた後に直ぐにたばこが消費されなかったときには、残存するたばこの有機的特徴は明らかに劣化する。
【０００６】
この欠点を排除する試みにおいては、内側包装容器が気密であり、再利用できる覆い蓋により閉じられるたばこの引抜き開口を有する１枚の気密な包装材を備える硬質のたばこの包装体が提案されてきている。言い換えれば、覆い蓋は、たばこの引抜き開口を閉じる閉位置に覆い蓋を繰り返し固定する固定手段（例えば、非乾燥性の再貼り付け可能な接着剤の細片）を有する。
【０００７】
内側包装容器がたばこの引抜き開口を有する１枚の気密の包装材を備える硬質のたばこの包装体の１つの問題は、一端いくつかのたばこが取出されると内側包装容器が壊れる傾向にあり、このように残りのたばこを引き出すことが難しくなり、特に覆い蓋を開けたり閉じたりすることが難しくなる。この問題を解決するために、内側包装容器の正しい形状を維持するために内側包装容器の内部およびたばこのグループの周りに、硬質のカラーが挿入されている新しいタイプの硬質のたばこの包装体が提案されてきている。
【０００８】
しかしながら、この新しいタイプの硬質のたばこの包装体を製造することは、たばこのグループの周りに気密の包装材のシートを折り曲げる前に、たばこのグループの周りにカラーを折り曲げなければならずに複雑であり、それ故に、同等の標準的な包装機械よりも非常に高価な特別の包装機械を必要とする。
【０００９】
さらに、上述した新しいタイプの硬質のたばこの包装体では、蓋は、蓋の側壁と蓋に干渉する大きさの内側包装容器の側壁との間の摩擦により閉位置に保持される。しかしながら使用者により覆い蓋が取り除かれる（切取られる）と、内側包装容器の横方向の堅さが小さくなり、したがって、蓋の側壁と内側包装容器の側壁との間の摩擦が非常に小さくなり、そして、もはや蓋を閉位置に維持することができなくなる。この結果、もしも覆い蓋が取り除かれると、蓋は永久的に部分的に開口した状態になる。
【発明の開示】
【発明が解決しようとする課題】
【００１０】
本発明の目的は、安価で製造が容易であると共に、包装容器が前述の欠点を排除するように設計された覆い蓋を有する内側包装容器を含むたばこ製品の包装容器を提供することを目的とする。
【課題を解決するための手段】
【００１１】
本発明によれば、付随する請求の範囲で請求されるように、覆い蓋を有する内側包装容器を含むたばこ製品の包装容器が提供される。
【発明を実施するための最良の形態】
【００１２】
付随する図面を参照して、例示の方法により本発明の多数の非限定的な実施形態が記述される。
【００１３】
図１から図４における符号１は、硬質の厚紙で形成されたカップ形状の外側容器２と、容器２に収容される内側包装容器３とを備える硬質のたばこの包装体全体を示している。内側包装容器３は、平行六面体形状のたばこのグループを収容し、そして、上端の前側に、再利用出来る覆い蓋５により閉じられているたばこの引抜き開口４を有する。
【００１４】
外側容器２は、開口した上側端６と、容器２に対して、開位置（図２および図４）と閉位置（図１および図３）との間で開口した上側端６をそれぞれ開いたり閉じたりしながら回転するヒンジ８に沿って、容器２にヒンジ連結されているカップ形状の蓋７とを有する。
【００１５】
蓋７が閉位置にあるときには、外側容器２は、長方形の平行六面体形状をしており、互いに対向して平行な頂壁９および底壁１０、対向して平行な２つの大きな側壁１１および１２、および対向して平行な２つの小さな側壁１３を備える。より特定的には、一方の大きな側壁１１は外側容器２の前壁１１を形成し、他方の大きな側壁１２は外側容器２の後壁１２を形成する。４つの長手方向の縁１４は、側壁１３と前および後壁１１，１２との間に画定され、８つの横方向の縁１５は、頂および底壁９，１０と、前、後および側壁１１，１２，１３との間に画定されている。
【００１６】
包装体１は、開口する上側端６の外側に向かって部分的に突出し、蓋７が閉位置になったときに、対応する蓋７の内側表面に係合するように、Ｕ字に曲げられ、外側容器２の内側に固定されている（通常は接着剤で付けられている）カラー１６も備える。
【００１７】
カラー１６は、硬質の厚紙により形成され、外側容器２の前壁１１に接触する前壁１７と、前壁１７の両側に配置され、外側容器２の小さな側壁１３に接触する２つの側壁１８とを備える。
【００１８】
好ましい形態においては、カラー１６は、蓋７を閉位置に保持するための固定部材を有し、そして、好ましくは蓋７の側壁に干渉して係合するように側方に突出する２つの突起１９により形成されている。示されていない代わりの形態においては、カラー１６の固定部材は、付随する図に示されているものと異なっていても構わない。
【００１９】
少なくとも引抜き開口４の周りにおいて、カラー１６は、内側包装容器３の形状を維持するために外側容器２および内側包装容器３に固定されている。言い換えれば、内側包装容器３が空になったときでさえも、内側包装容器３がカラー１６に固定され、順に外側容器２に固定されている事実により、内側包装容器３の元の形状が維持され、従って、それが壊れることを防止して、このように、残りのたばこを引き抜くこと、そして、特に覆い蓋５を開いたり閉じたりすることが困難になることを防止する。その結果、カラー１６は、引抜き開口４において内側包装容器３を外側から強化する。
【００２０】
このことを達成するために、カラー１６は、少なくとも引抜き開口４の周りで、すなわち少なくとも引抜き開口４に近接する位置で、外側容器２および内側包装容器３に、単に固定されていれば良く、しかし、内側包装容器３に重ねられるカラー１６の全体の領域で内側包装容器３に固定されることが好ましい。
【００２１】
好ましい形態においては、カラー１６は、内側包装容器３に熱融着されている。代わりに、カラー１６は、内側包装容器３に接着剤で付けられても良い。
【００２２】
好ましい形態においては、覆い蓋５は、覆い蓋５を取外し可能に内側包装容器３に接続し、好ましくは覆い蓋５の内側表面に適用され、引抜き開口４の全体の周りに延びる非乾燥性の再貼り付けが可能な接着剤２０（図では図式的に示されている）により形成される再使用可能な固定部材を有し、したがって、覆い蓋５は、内側包装容器３から部分的に繰り返し取り外され（すなわち、たばこの包装体１が開けられるごとに）、そして次に、内側包装容器３に戻されて固定される。示されていない代替的な形態においては、再使用可能な覆い蓋５の固定部材は、付随する図に示されるものと異なっていても構わない。
【００２３】
覆い蓋５は、覆い蓋５を掴んで持ち上げるための、およびカラー１６の前壁１７の上に置かれる掴みタブ２１を備える。言い換えれば、覆い蓋５を持ち上げるために、使用者は、単にカラー１６の前壁１７に少しも固定されてない掴みタブ２１を掴む。さらなる形態においては、掴みタブ２１を容易に掴むために、カラー１６の前壁１７は、覆い蓋５の掴みタブ２１が前壁１７に置かれている部分に貫通孔（半円形状または三日月形）を有している。
【００２４】
示されていない形態においては、覆い蓋５は、切取ることができ、典型的には、覆い蓋５のヒンジの線に沿って配置されている切取り線を有する。
【００２５】
図６に示されているように、内側包装容器３は、包装材の四角形のシート２２を折り曲げることにより形成され、引抜き開口４を画定するために初めに切られ、次にカラー１６が取り付けられる。包装材のシート２２は、次に、裏面に糊で貼り付けられる覆い蓋５が取り付けられる。すなわち、覆い蓋５の裏面は、再貼り付け可能な接着剤２０により覆われており、引抜き開口４の内側において包装材のシート２２の内側部分が永久的に覆い蓋５に接着剤で付けられ、そして、引抜き開口４の外側において包装材のシート２２が取り外し可能に覆い蓋５に接着剤で付けられている。
【００２６】
包装材のシート２２は、外側が熱融着のワニスで覆われている気密の薄板状のプラスチック材料により形成されていることが好ましい。代わりに、包装材のシート２２は、非熱融着性のプラスチック材料または箔で形成されていても構わない。
【００２７】
図７に示すように、外側容器２は、平坦で、実質的に細長く四角形の硬質の厚紙の素材２３を折ることにより形成され、その部分は、可能である部分に、外側容器２の対応する部分と同様の上付記号が付された同じ参照番号を用いながら、次の記述において示されている。
【００２８】
素材２３は、２つの長手方向の折り目２４と、２つの長手方向の折り目２４の間に、前壁１１の上部を形成するパネル１１’（より特定的には蓋７の一部分を形成する部分）、頂壁９を形成するパネル９’、後壁１２を形成するパネル１２’、底壁１０を形成するパネル１０’、前壁１１の底部分を形成するパネル１１’’（より特定的には外側容器２の一部分を形成する部分）を画定する多数の横方向の折り目２５とを有する。
【００２９】
それぞれのパネル１１’，１１’’，１２’は、パネル１１’，１１’’，１２’の両側に配置され、パネル１１’，１１’’，１２’から長手方向の折り目２４により分けられている２つの側方羽根１３’および１３’’を有する。パネル１１’は、補強フラップ２６を有し、そして、パネル１２’のそれぞれの側方羽根１３’，１３’’は、側方羽根１３’，１３’’の両端に配置されている四角形のタブ２７を有する。
【００３０】
包装体１を形成する時に、側方羽根１３’，１３’’は、外側容器２の小さな側壁１３を画定するように重ね合わされて接着剤で付けられ、そして、それぞれのタブ２７は、それぞれの側方羽根１３’，１３’’に対して直角に折り曲げられ、それぞれの壁９，１０の内側部分を画定するために、それぞれのパネル９’，１０’の内側表面に重ね合わされて接着剤で付けられる。
【００３１】
図８および図９の形態においては、カラー１６は、蓋７が閉位置になったときに外側容器２の頂壁９に接触して配置され、明らかに外側容器２の頂壁９に固定されていない頂壁２８を備え、従って蓋７を開けることができる。カラー１６の頂壁２８は、内側包装容器３の形状を維持するために覆い蓋５の周りで内側包装容器３に固定され、そして、好ましくは、覆い蓋５の両側に配置され、それぞれの側壁１８に接続されている２つの上側の半分の壁２８により画定されている。
【００３２】
図１０および図１１の形態においては、カラー１６は、内側包装容器３の引抜き開口４の上に重ねられ、カラー１６の前壁１７および頂壁２８を通じて形成され、カラー１６の除去可能な部分２９に係合する引抜き開口を有する。カラー１６の除去可能な部分２９は、切取り線３０によりカラー１６の残りの部分から分けられ、そして、覆い蓋５に固定され、覆い蓋５と共に移動可能である。言い換えれば、カラー１６の除去可能な部分２９は、覆い蓋５が持ち上げられて内側包装容器３の引抜き開口４が露出した時に、除去可能な部分２９が覆い蓋５と共に持ち上げられるように覆い蓋５に固定されている。
【００３３】
図１２および図１３の形態においては、カラー１６は、外側容器２の後壁１２に接触して配置されている後壁３１を備える。カラー１６の後壁３１は、内側包装容器３の形状を維持するために内側包装容器３に固定され、好ましくは、覆い蓋５の両側に配置され、それぞれの側壁１８に接続されている２つの後側の半分の壁３１により画定されている。
【００３４】
図１から図１３の形態においては、カラー１６は、初めは外側容器２から独立し、そして接着剤で付けられる。図１４および図１５に示される他の形態においては、カラー１６は、外側容器２に組み込まれている。
【００３５】
示されていない１つの形態においては、カラー１６は、カラー１６の前壁１７に形成され、クーポンの底部分を含むためのポケットを備える。ポケットは、好ましくは、カラー１６の前壁１７の３つの側面に沿って切断して、切断部分をわずかに持ち上げることにより形成され、そして、たばこの包装体１を形成する時に、それぞれのクーポンを適切な位置に保持する役目を有する。
【００３６】
図１６の形態においては、内側包装容器３は、硬質の厚紙（外側容器２およびカラー１６の硬質の厚紙と同一）により形成され、内側包装容器３の内部において、たばこのグループと包装材のシート２２との間に配置される補強材３２を備え、すなわち、補強材３２の内側表面は、たばこのグループに接触して配置され、そして、補強材３２の外側表面は包装材のシート２２に接触して配置されている。補強材３２は、少なくとも引抜き開口４の周りにおいて、内側包装容器３の形状を維持するために内側包装容器３の包装材のシート２２に固定されている。言い換えれば、内側包装容器３が空になった場合でさえも、内側包装容器３の包装材のシート２２が補強材３２に固定されている事実により、内側包装容器３が元の形状を維持することを助勢して、そして、従って、内側包装容器３が壊れることを防止して、このように、残存するたばこを引き抜くことが難しくなること、特に、覆い蓋５を開けたり閉じたりすることが難しくなることを防止する。その結果、補強材３２は、引抜き開口４において、内側から内側包装容器３を強化することも提供する。
【００３７】
このことを達成するために、補強材３２は、単に、少なくとも引抜き開口４の周りにおいて、すなわち少なくとも引抜き開口４に近接する位置で、内側包装容器３の包装材のシート２２に固定されていれば良く、しかし、好ましくは、内側包装容器３の包装材のシート２２に完全に固定されている。好ましい形態においては、補強材３２は、内側包装容器３の包装材のシート２２に熱融着されている。代わりに、補強材３２は、内側包装容器３の包装材のシート２２に接着剤で付けられていても構わない。
【００３８】
図１７および図１８に示されるように、補強材３２は、前壁３３と後壁３４とを備える。示されていない異なる形態においては、補強材３２は、前壁３３のみを備える。
【００３９】
図１から図１８の形態においては、覆い蓋５の掴みタブ２１は、覆い蓋５の一体的な部分を形成して、そして覆い蓋５の底の拡張により画定されている。言い換えれば、掴みタブ２１は、覆い蓋５に全く余分な要素を適用することなしに、覆い蓋５を適切に形作ることにより形成されている。掴みタブ２１は、使用者が掴みタブ２１を容易に掴むことができるように、覆い蓋５の残りの部分の上に１８０°折り曲げられてもよい。しかしながら、本実施の形態においては、蓋７を閉じることにより、掴みタブ２１がそれの元の折られていない位置に戻るように移動する傾向があり、従って、掴みタブ２１は、使用者が次に蓋７を開く時に掴むことをより難しくする。
【００４０】
図１９から図２４の形態においては、覆い蓋５の掴みタブ２１は、初めは覆い蓋５から独立しており、そして接着剤で付けられ、従って、掴みタブ２１は、覆い蓋５に接着剤で付けられる接着部分３５と、接着部分３５の上に１８０°折り曲げ可能な自由部分３６（すなわち覆い蓋５に接着剤で付されていない）とを備える。好ましい形態においては、蓋７を閉じることにより掴みタブ２１を下側に折られた位置に保つ傾向を有するように、掴みタブ２１の接着部分３５は、初めに掴みタブ２１の自由部分３６の下側に配置され、そして、自由部分３６は、接着部分３５の上に下側に向かって１８０°折り曲げることができ、従って、次に蓋７が開かれた時に、掴みタブ２１は、使用者により容易に掴まれる。
【００４１】
図１から図２４の形態においては、覆い蓋５の前側部分の全体は、引抜き開口４にアクセスするために内側包装容器３から持ち上げることができる。
【００４２】
図２５および図２６の形態においては、覆い蓋５は、移動部分３７と、内側包装容器３の外側表面に永久的に固定され、覆い蓋５の封を切るときに引き裂かれる切取り線３９により移動部分３７から分けられている固定境界３８とを備える。覆い蓋５の固定境界３８は、引抜き開口４において内側包装容器３を外部からより強化することを提供し、空になったときに内側包装容器３の元の形状を維持することを助勢して、そして、従って、内側包装容器３が壊れることを防止して、このように、残存するたばこを引き抜くこと、特に、覆い蓋５の移動部分３７を開いたり閉じたりすることが難しくなることを防止する。
【００４３】
好ましい形態においては、覆い蓋５の固定境界３８は、内側包装容器３の包装材のシート２２に熱融着されている。代わりに、覆い蓋５の固定境界３８は、内側包装容器３の包装材のシート２２に接着剤で付けられていても良い。
【００４４】
図に示される形態においては、縁１４および縁１５は全て直角である。示されていない他の形態においては、４つの長手方向の縁１４は、直角でなく丸まっているか、又は傾斜している縁である。
【００４５】
示されていない他の形態においては、少なくともいくつかの長手方向の縁１４、又は少なくともいくつかの横方向の縁１５は、丸まっているか、又は傾斜している（特許出願ＥＰ−Ａ１−０７６４５９５に記述されているたばこの包装体と同様）。代わりに、いくつかの長手方向の縁１４およびいくつかの横方向の縁１５は、直角でなく丸まっているか、又は傾斜している縁であっても構わない。
【００４６】
示されていない他の形態においては、たばこの包装体１は、特許出願ＥＰ１０６６２０６Ａ１に記述されている様であってもよく、このケースにおいては、それぞれの大きな側壁１１，１２は、外側に向かって凸形状であり、角ばった長手方向の縁１４に沿ってそれぞれの小さな側壁１３に接続され、そして、それぞれの小さな側壁１３と鈍角の２面角を形成する。それぞれの大きな側壁１１，１２は、平坦な中央部分と、２つの長手方向に折り目を付けられた側方の帯状体とを備え、そして、それぞれの側方の帯状体は、中央部分を小さな側壁１３に接続して、小さな側壁１３と鈍角の２面角を形成するように、内側に向く凹面を有して曲っている。
【００４７】
明らかに、部分的に凸形状の壁を形成する、または、２つの両側の凸形状の壁とは対照的に１つの凸形状の壁を形成する、または、凸形状の大きな側壁１１および１２とは対照的に凸形状の小さな側壁１３を形成するように、特許出願ＥＰ１０６６２０６Ａ１に記述されている設計のたばこの包装体１に変更が行なわれていても構わない。例示の方法により、特許出願ＥＰ１０６６２０６Ａ１に記述されているたばこの包装体の多数の変形は、特許出願ＷＯ０３０２６９８４Ａ１に提案されている。
【００４８】
上述のたばこの包装体１は、安価で容易に製造できることができ、また、内側包装容器３が空になったときでさえも内側包装容器３を正しい形状を維持することができることにより、多くの利点を有する。
【００４９】
さらに、気密の包装材のシート２２をたばこのグループの周りに折った後に、たばこのグループの周りにカラー１６を折ることにより、前述のたばこの包装体１は、実質的に標準的な包装機械を用いて製造することができる。
【００５０】
前述のたばこの包装体１において、カラー１６により閉位置に保持される蓋７は、たとえ覆い蓋５が使用者により排除されても（切取られても）、まだ閉位置に保持される。この特徴により、上述のたばこの包装体１に、直角ではなく丸まった、又は傾斜した長手方向の縁１４又は横方向の縁１５を形成することが可能になることに注意すべきである。
【００５１】
最後に、カラー１６の側壁１８は、対応する内側包装容器３の側壁を覆い、熱融着された内側包装容器３の場合には、見苦しいシールになる。
【００５２】
多くの利点の観点からは、上述されたたばこの包装体１の設計は、全体的に、たばこのカートンの製造に適用することができ、たばこのグループとは対照的に、カートンがたばこの包装体を含むことを除いては、前述した包装体１と実質的に同一である。
【図面の簡単な説明】
【００５３】
【図１】図１は、本発明に従った閉じた配置でのたばこの包装体を前側から見た斜視図である。
【図２】図２は、部分的に開いた配置での図１のたばこの包装体を前側から見た斜視図である。
【図３】図３は、閉じた配置での図１のたばこの包装体を後側から見た斜視図である。
【図４】図４は、完全に開いた配置での図１のたばこの包装体を前側から見た斜視図である。
【図５】図５は、カラーが取り付けられた図１の包装体の内側包装容器を前側から見た斜視図である。
【図６】図６は、図５の内側包装容器を形成するカラーが取り付けられた１枚の気密の包装材の展開図である。
【図７】図７は、図１のたばこの包装体の外側容器を形成する素材の展開図である。
【図８】図８は、図５の内側包装容器の変形を前側から見た斜視図である。
【図９】図９は、図８の内側包装容器を形成するカラーの展開図である。
【図１０】図１０は、図５の内側包装容器のもう１つの変形を前側から見た斜視図である。
【図１１】図１１は、図１０の内側包装容器を形成するカラーの展開図である。
【図１２】図１２は、図５の内側包装容器のもう１つの変形を後側から見た斜視図である。
【図１３】図１３は、図１２の内側包装容器を形成するカラーの展開図である。
【図１４】図１４は、部分的に開いた配置での図１のたばこの包装体の変形を前側から見た斜視図である。
【図１５】図１５は、図１４のたばこの包装の外側容器を形成する素材の展開図である。
【図１６】図１６は、図１の包装体の内側包装容器の変形を前側から見た斜視図である。
【図１７】図１７は、図１６の内側包装容器の補強材を前側から見た斜視図である。
【図１８】図１８は、図１６の内側包装容器を形成する補強材が取り付けられた１枚の気密の包装材の展開図である。
【図１９】図１９は、図１の包装体の内側包装容器のもう１つの変形を前側から見た斜視図である。
【図２０】図２０は、図１９の内側包装容器の覆い蓋の斜視図である。
【図２１】図２１は、掴みタブを有しない図２０の覆い蓋の平面図である。
【図２２】図２２は、図２０の覆い蓋の掴みタブの平面図である。
【図２３】図２３は、図２０の覆い蓋の平面図である。
【図２４】図２４は、図２０の覆い蓋の変形の平面図である。
【図２５】図２５は、図１の包装体の内側包装容器のもう１つの変形を前側から見た斜視図である。
【図２６】図２６は、カラーが取り付けられ、図２１の内側包装容器を形成する１枚の気密の包装材の展開図である。
【図１】
0005596279.tif 000002
【図２】
0005596279.tif 000003
【図３】
0005596279.tif 000004
【図４】
0005596279.tif 000005
【図５】
0005596279.tif 000006
【図６】
0005596279.tif 000007
【図７】
0005596279.tif 000008
【図８】
0005596279.tif 000009
【図９】
0005596279.tif 000010
【図１０】
0005596279.tif 000011
【図１１】
0005596279.tif 000012
【図１２】
0005596279.tif 000013
【図１３】
0005596279.tif 000014
【図１４】
0005596279.tif 000015
【図１５】
0005596279.tif 000016
【図１６】
0005596279.tif 000017
【図１７】
0005596279.tif 000018
【図１８】
0005596279.tif 000019
【図１９】
0005596279.tif 000020
【図２０】
0005596279.tif 000021
【図２１】
0005596279.tif 000022
【図２２】
0005596279.tif 000023
【図２３】
0005596279.tif 000024
【図２４】
0005596279.tif 000025
【図２５】
0005596279.tif 000026
【図２６】
0005596279.tif 000027